(57)【要約】【課題】円筒状重量物を安全かつ作業性よく運搬できる運搬台車を提供する。【解決手段】本運搬台車は車収容場所に搬入、搬出される円筒状重量物Ｐを運搬するもので、車輪２を備えた台車本体３の上端に分離可能に取り付けられ、円筒状重量物Ｐを吊持する吊持手段４と、台車本体３に設けられ、円筒状重量物Ｐを傾けた状態で保持する保持手段５を備える。【選択図】  図１
2007253651.tif 000002
【特許請求の範囲】
【請求項１】
収容場所に搬入され、あるいは収容場所から搬出される円筒状の重量物を運搬するための運搬台車において、車輪を備えた台車本体と、この台車本体の上端に分離可能に取り付けられ、円筒状重量物を吊持する吊持手段と、前記台車本体に設けられ、円筒状重量物を傾けた状態で保持する保持手段を備えることを特徴とする運搬台車。
【請求項２】
前記台車本体に円筒状重量物を囲うシールド板が着脱自在に設けられることを特徴とする請求項１に記載の運搬台車。
【請求項３】
前記車輪の車軸を固定するフックと、前記台車本体を傾けた状態で保持する台車保持アームを備えた台車保持台により、傾けた状態で保持されることを特徴とする請求項１または２に記載の運搬台車。
【請求項４】
前記収容場所は単結晶引上げ炉であり、円筒状重量物は石英管であることを特徴とする請求項１ないし３のいずれか１項に記載の運搬台車。
【発明の詳細な説明】
【技術分野】
【０００１】
本発明は運搬台車に係り、特にチョクラルスキー法によるシリコン単結晶引上げ炉に対して出し入れされる石英管などを運搬するのに適する運搬台車に関する。
【背景技術】
【０００２】
シリコン単結晶ウェーハは、例えばチョクラルスキー（ＣＺ）法によりシリコン単結晶を引上げて製造される。ＣＺ法では、先ず、石英ルツボ内に原料の多結晶シリコンを充填し、石英ルツボを支持する黒鉛ルツボの外周にある円筒状の黒鉛ヒーターで、多結晶シリコンを加熱し、溶融する。
【０００３】
次いで、種結晶をシリコン融液に浸して絞り部を形成あるいは無転移化した後、必要な直径と長さになるまでシリコン単結晶を成長させる。
【０００４】
このＣＺ法において、シリコン単結晶の製造コストを低減するためには、シリコン単結晶引上げに伴うルツボ内のシリコン融液の減少分を供給するため、供給管を設けてルツボ内へ粒状の多結晶原料を、融液減少量に応じて供給する引上げ装置が知られている。
【０００５】
この装置のーつとして、シリコン単結晶成長中の石英ルツボ内の融液に、連続的に粒状原料を供給しながら単結晶を成長させる、いわゆる連続チャージ（ＣＣＣＺ）法があり、単結晶の製造歩留を著しく向上させて、その製造コストを大幅に低減できる。なお、多結晶原料を追加充填することをリチャージという。
【０００６】
他のリチャージ法としては、棒状多結晶原料（ロッド状原料）を吊り下げてルツボ内に残余しているシリコン融液に浸しながら、徐々に溶融させて追加充填するロッドチャージ（ＲＣＣＺ）法（非特許文献１）、ルツボ内に残存したシリコン融液の表面を一度固化させた後、その表面に、ルツボ上に設けられた供給管から多結晶原料をルツボ内にリチャージする方法（特許文献１）などがあり、それらの中でもリチャージのための追加装置が大掛かりでなく、また単結晶製造装置内に取り入れ取り出しが簡単に行え、ナゲット状及びまたは粒状（固形状）原料をルツボ内の固化した融液面に直接投入することができる、石英管を用いたリチャージ法が多用されている。
【０００７】
このリチャージ法に用いられる石英管は、内部に固形状多結晶原料を収容する円筒状のリチャージ管本体と、本体下方端部に脱着可能な弁と本体の上方端部を封止する蓋からなり、これらの中心を貫くようにワイヤが配置、固定される仕組みとなっており、従来はこの石英管を運搬するため、および多結晶原料を充填するときに使用する専用の運搬台車が必要となる。この運搬台車は石英管一式を固定保持でき、なおかつ充填作業が行い易いように傾けた状態でもなお固定保持できる機構を有している（特許文献２）。
【０００８】
この特許文献２に記載の運搬台車を用いて、石英管を用いたリチャージ方法における石英管の運搬および多結晶原料の充填作業を行う場合、次のような不都合がある。
【０００９】
すなわち、石英管に多結晶原料を充填しているときは石英管を運搬台車に固定し充填作業が行える可能な角度まで傾け、運搬台車はその状態を保持できる機構を備えているが、運搬台車を収納もしくは石英管を載せた状態で保持する場合は、本来石英管の最大径より少し大きいくらい（矩形台車の幅程度）の面積があれば足りるが、石英管を立てた状態であっても、台車と石英管を傾けて保持する保持機構を備え、石英管以外の領域も占めるため、保管、保持スペースの確保に問題があった。また、石英管に多結晶原料を充填する際に誤って石英管を破損させ、または石英管を運搬台車から引上げ炉へ搬入する際に誤って石英管を破損させ、あるいは落下させてしまった場合、石英片が飛散するという危険があった。
【特許文献１】特開昭６２−２６０７９１号公報
【特許文献２】特開平５−２７８６１７号公報
【非特許文献１】Ｆｕｍｉｏ  Ｓｈｉｍｕｒａ，  Ｓｅｍｉｃｏｎｄｕｃｔｏｒ  Ｃｒｙｓｔａｌ  Ｔｅｃｈｎｏｌｏｇｙ，ｐ１７８−ｐ１７９，  １９８９
【発明の開示】
【発明が解決しようとする課題】
【００１０】
本発明は上述した事情を考慮してなされたもので、円筒状重量物を安全かつ作業性よく運搬できる運搬台車を提供することを目的とする。
【課題を解決するための手段】
【００１１】
上述した目的を達成するため、本発明に係る運搬台車は、収容場所に搬入され、あるいは収容場所から搬出される円筒状重量物を運搬するための運搬台車において、車輪を備えた台車本体と、この台車本体の上端に分離可能に取り付けられ、円筒状重量物を吊持する吊持手段と、前記台車本体に設けられ、円筒状重量物を傾けた状態で保持する保持手段を備えることを特徴とする。
【発明の効果】
【００１２】
本発明に係る運搬台車によれば、円筒状重量物を安全かつ作業性よく運搬できる運搬台車を提供することができる。
【発明を実施するための最良の形態】
【００１３】
本発明の一実施形態に係る運搬台車について添付図面を参照して説明する。
【００１４】
図１は本発明の一実施形態に係る運搬台車の側面図であり、図２はその正面図である。
【００１５】
図１および図２に示すように、本発明に係る運搬台車１は、車輪２を備えた台車本体３と、この台車本体３の上端に分離可能に取り付けられ、円筒状重量物例えばシリコン多結晶原料が収容される石英管Ｐを吊持する吊持手段４と、台車本体３に設けられ、円筒状重量物を傾けて保持する保持手段５を備える。
【００１６】
台車本体３は一対の細長い背板６と、この背板６を平行かつ強固に固定する複数本の固定部材７からなり、上端には支持アーム受８が設けられ、中央上部には取手９が設けられ、さらに、下端には運搬台車１の直立時、床面と当接して車輪２を床から浮かし運搬台車１を支持する底部板１０が設けられる。
【００１７】
吊持手段４は、石英管Ｐを遊挿し吊持するワイヤ１１と、このワイヤ１１の上端に設ける吊り輪１１ａを介してワイヤ１１を支持するワイヤ支持部材１２と、このワイヤ支持部材１２が固着された一対の支持アーム１３からなり、支持アーム１３は支持アーム受８に扁平幅広の頭部を有するねじ１４により分離可能に螺着され、支持アーム１３に設けられる螺孔（図示せず）は長孔をなし、図１において支持アーム１３を左右水平に移動することで、支持アーム１３の固定位置の調整が可能であり、ワイヤ支持部材１２を介して、ワイヤ１１は水平方向に微調整可能である。
【００１８】
保持手段５は石英管Ｐの上部および下部に対応する運搬台車１の背部位置に設けられ、傾けた状態で石英管Ｐを保持する一対の重量物保持部材１５からなり、この重量物保持部材１５はＹ字形状をなし、その二股で石英管Ｐを支持する。
【００１９】
石英管Ｐを覆う例えばアクリル製コ字状有底のシールド板１６が台車本体３に着脱自在に設けられる。
【００２０】
図３に示すように、運搬台車１は、石英管Ｐへの多結晶原料充填時、傾けた状態で保持されるが、その保持には台車保持台１７が用いられ、図４および図５に示すように、台車保持台１７は、車輪２を収納する収納凹部１８ａが設けられた平面略コ字状の保持台本体１８に一端で軸支され車輪２の車軸２ａを固定するフック１９と、保持台本体１８に一端で軸支され、他端に設けられた切欠リング状の係合部２０ａを台車本体３に設けた係合ピン２１に係合することで、台車本体３を傾けた状態で保持する台車保持アーム２０を備える。なお、石英管Ｐは脱着自在な底蓋ｐ１、上蓋ｐ２を備える。
【００２１】
次に本運搬台車の使用方法について説明する。
【００２２】
図１および図２に示すように、吊持手段４のワイヤ１１を介して石英管Ｐをワイヤ支持部材１２に直立状態で懸吊する。石英管Ｐはシールド板１６により覆われる。
【００２３】
しかる後、多結晶原料の塊を石英管Ｐに充填するが、このとき、図３に示すように、作業者の作業をし易くするため、台車保持台１７を用いて、フック１９により車輪２を固定し、台車保持アーム２０により台車本体３を傾けた状態で保持して、運搬台車１を傾けた状態で保持する。運搬台車１を傾けることにより、石英管Ｐは重量物保持部材１５により傾いた状態で保持され、この状態で、石英管Ｐの上端開口から多結晶原料の塊を充填する。
【００２４】
多結晶原料の充填完了後、運搬台車１を台車保持台１７から外して、運搬台車１の取手９を握り、石英管Ｐをシリコン単結晶引上げ炉まで運搬する。そこで、底部板１０を床面に当接させて、車輪２を浮かし、運搬台車１および石英管Ｐを直立する。
【００２５】
しかる後、ねじ１４を外し、支持アーム１３とともにワイヤ支持部材１２を外して、石英管Ｐを台車本体３から取り外し、取り外した石英管Ｐをシリコン単結晶引上げ炉にセットする。
【００２６】
また、空になった石英管Ｐをシリコン単結晶引上げ炉から所定位置まで運び出す場合には上記とほぼ逆の手順で運搬を行う。
【００２７】
上記のように、運搬台車１は、石英管Ｐ中に多結晶原料を充填する際、運搬台車１が石英管Ｐを吊り下げる吊持手段４と、石英管Ｐを傾けた状態で保持する保持手段５とを分離できることにより、運搬台車自体を傾けた状態で保持する機構を設ける必要がないことから、石英管Ｐを傾ける必要があるときだけ、台車保持台１７を使用することにより、省資源、省スペース化が可能となり、運搬台車１の製作コストを削減できる。
【００２８】
また、運搬台車１にシールド板を設けることにより、石英管Ｐの中に多結晶原料を充填している最中に石英管Ｐが破損し、あるいは、多結晶原料の充填が終わった石英管Ｐを引上げ炉内に搬入するために上方に吊り上げた際に石英管Ｐが落下、破損しても、石英片が飛散しても真下の運搬台車に取り付けてあるシールド板１６の内側に落下するため、周囲に飛散することがなく安全である。さらに、収納、保管するにも省スペース化が可能であることから、作業能率の向上が期待できる。
【００２９】
本実施形態に係る運搬台車によれば、円筒状重量物を安全かつ作業性よく運搬できる運搬台車が実現される。
【図面の簡単な説明】
【００３０】
【図１】本発明に係る運搬台車の側面図。
【図２】本発明に係る運搬台車の正面図。
【図３】本発明に係る運搬台車を台車保持台を用いて傾斜状に保持した状態を示す側面図。
【図４】本発明に係る運搬台車の保持に用いる台車保持台の側面図。
【図５】本発明に係る運搬台車の保持に用いる台車保持台の平面図。
【符号の説明】
【００３１】
１  運搬台車
２  車輪
３  台車本体
４  吊持手段
５  保持手段
８  支持アーム受
１１  ワイヤ
１１ａ  吊り輪
１２  ワイヤ支持部材
１３  支持アーム
１４  ねじ
１５  重量物保持部材
１６  シールド
１７  台車保持台
１８  保持台本体
１９  フック
２０  台車保持アーム
【図１】
2007253651.tif 000003
【図２】
2007253651.tif 000004
【図３】
2007253651.tif 000005
【図４】
2007253651.tif 000006
【図５】
2007253651.tif 000007